(57)【要約】      （修正有）【課題】風機の先端部等の圧縮空気の圧力源に取り付けられ、気流を噴出する幅、噴出方向が可変な気流噴出口を有し、缶、容器、野菜等の被処理物の外表面に加圧空気等の気流を吹き付けて、付着した水、埃、ゴミ等を効果的に吹き飛ばすことができ、かつ洗浄が容易で衛生的なノズルを提供する。【解決手段】長手方向の直角断面が略５角形の中空のノズル本体１０と、前記ノズル本体の１つの角に長手方向に沿って形成された気流噴出口となるスリット６０と、前記ノズル本体に取り付け位置を調整可能にノズル長手方向に配置された前記気流噴出口の幅を調整するスライド板６１、６２と、備える。ノズル本体を軸中心に回転可能に固定する第１支持部材２０、それぞれ第１支持部材２０、第２支持部材３０に対して軸方向にスライド可能、かつ軸中心に回転可能に固定する第３支持部材４０を採用した。その結果、気流を噴出する気流噴出口の幅、吹き出し位置、吹き出し方向を調整することができる。【選択図】図７
0003158301.tif 000002
【実用新案登録請求の範囲】
【請求項１】
気流により被処理物の付着物を吹き飛ばすための平吹きノズルにおいて、
長手方向に対して直角の断面が略５角形の中空のノズル本体と、
前記ノズル本体の長手方向稜線の１つに沿って形成された気流噴出口と、
前記ノズル本体の気流噴出口の両側に取り外し可能かつ取り付け位置を調整可能に配置された前記気流噴出口の幅を調整する噴出口幅調整板と、
前記ノズル本体の長手方向の中位位置に、ノズル本体に対して回転可能に直接又は間接に固定された第１軸部材と、を備えたことを特徴とする平吹きノズル。
【請求項２】
前記第１軸部材に対してスライド可能及び／又は前記第１軸部材の中心軸に対して回転可能に固定する第２軸部材を備えたことを特徴とする請求項１に記載の平吹きノズル。
【請求項３】
前記第２軸部材に対してスライド可能及び／又は前記第２軸部材の中心軸に対して回転可能に固定する第３軸部材を備えたことを特徴とする請求項２に記載の平吹きノズル。
【考案の詳細な説明】
【技術分野】
【０００１】
本考案は、缶、容器、野菜等の被処理物の外表面に付着した水、埃、ゴミ等に、加圧した空気等の気流を吹き付け、吹き飛ばす平吹きノズルに関する。
【背景技術】
【０００２】
従来、缶・容器・野菜等の被処理物の洗浄後の水、段ボールに梱包する前に結露防止のため低温製品を温水に浸漬したり、シャワーリングしたりした後の水、容器の外表面に付着した埃又はゴミ等に、加圧した空気等を被処理物に吹き付け、吹き飛ばして除去する装置に使用される種々のノズルが提案されている。
【０００３】
例えば、缶底部の水切りに使用される一般的なノズルとして、図１１に記載のノズル１が一般に知られている。ノズル１は、複数の孔２ａが穿設された方形のノズル本体２と、一端が加圧空気送風管に接続され、他端が前記ノズル本体２内部に挿入され、加圧空気をノズル本体２内に放出する切れ目３ａを設けた接続管３と、からなる。
【０００４】
このノズル１は、ベルトコンベアにより移動される底部６ａを上にした缶６の上方に設置され、缶６の底部６ａに向け送風機から送られた加圧空気を孔２ａより噴出する。これにより、缶６の底部６ａの水を吹き飛ばし、除去するものである。
【０００５】
また、特許文献１に缶底部の水切り装置が開示されている。この缶底部の水切り装置は、有底筒状の缶の底部を上方に向けた状態でこの缶を搬送する搬送機構と、この搬送機構の上方に、先端をこの搬送機構に向けて設置され、かつ、この搬送機構との間に、前記缶を通過させることのできる間隔をおいて設置されたエアノズルと、このエアノズルに圧縮空気を供給する配管とを備えていることを特徴とする（請求項１、図１参考）。
【０００６】
また、容器の水切りに使用されるノズルとして、特許文献２に容器洗浄乾燥装置の水切り乾燥装置が開示されている。該水切り乾燥装置は、搬送コンベア上の容器に対して洗浄ノズルから洗浄水を噴射し洗浄する容器洗浄工程と、容器洗浄工程通過後の容器に対してエアノズルからエアを噴き出し水切りを行なう水切り工程を備えた容器洗浄乾燥装置において、前記搬送コンベアの上方に配置され下向きにエアを吹き出す水切り工程のエアノズルのノズル本体を、搬送コンベアを横切ると共に被処理物となる容器の側縁に対して所定角度で斜め偏位させて配置したことを特徴とする（請求項１、図１参照）。
【特許文献１】特開平７−６８２３１号公報
【特許文献２】実開平５−６７３８３号公報
【考案の開示】
【考案が解決しようとする課題】
【０００７】
しかしながら、一般的なノズル１又は特許文献１のエアノズルでは、噴出部が孔であることから加圧空気は放射状に噴射され、かつ所定の箇所に円形放射状に噴出されるため、付着物の除去が十分でなく、特に側面の付着物の除去は、十分に行うことができなかった。従って、料理用バット、野菜等の水切りノズルとしては不向きであった。
【０００８】
また、一般的なノズル１又は特許文献２のノズル本体は、樹脂、ステンレス等の金属で一体成型し、孔、エアノズルを穿設したものであるため、ノズル本体の洗浄が困難であった。そのため、洗浄が十分に行えず、衛生上問題があった。
【０００９】
さらに、一般的なノズル１の孔２ａ、特許文献１のエアノズルの孔、特許文献２のノズル本体のエアノズルの大きさ又は幅は可変でないため、被処理物の形状、大きさ等による風量、風向の調整ができなかった。
【００１０】
そこで、本考案は、送風機の先端部等の圧縮空気の圧力源に取り付けられ、気流を噴出する幅、気流の噴出方向が可変な気流噴出口を有し、缶、容器、野菜等の被処理物の外表面に効率よく加圧空気等の気流を吹き付けて、付着した水、埃、ゴミ等を吹き飛ばすことができ、かつ洗浄が容易で衛生的な平吹きノズルを提供することを主たる課題とする。
【課題を解決するための手段】
【００１１】
上記課題を解決するために、本考案の平吹きノズルは、気流により被処理物の付着物を吹き飛ばすための平吹きノズルにおいて、長手方向に対して直角の断面が略５角形の中空のノズル本体と、前記ノズル本体の長手方向稜線の１つに沿って形成された気流噴出口と、前記ノズル本体の気流噴出口の両側に取り外し可能かつ取り付け位置を調整可能に配置された前記気流噴出口の幅を調整する噴出口幅調整板と、前記ノズル本体の長手方向の中位位置に、ノズル本体に対して回転可能に直接又は間接に固定された第１軸部材と、を備えるものとした。
【００１２】
係る構成を採用することにより、気流を噴出する気流噴出口の幅を変更して、気流の風量、風圧又は風向を変更することができる。従って、気流噴出口の調節のみで、被処理物に対して付着物の除去に好適な気流を与えることができる。また、平吹きノズルの気流噴出口を第１軸部材中心に回転させて、被処理物に対して与える気流の相対位置及び方向を変更することもできる。従って、気流噴出口の幅の調節と相まって、さらに被処理物に対して好適な気流を与えることができる。このように、本考案の平吹きノズルは、被処理物の付着物の吹き飛ばしに好適な風量、方向を与えて、被処理物の付着物を効果的に除去することができる。さらに、噴出口幅調整板によって、気流噴出口の幅を容易に広げる、あるいは噴出口幅調整板を取り外すことができるので、ノズル本体内部を容易に洗浄することができる。
【００１３】
また、本考案の平吹きノズルとして、前記第１軸部材に対してスライド可能及び／又は第１軸部材の中心軸に対して回転可能に固定する第２軸部材を備えていてもよい。第１軸部材の軸長の許す範囲で軸方向にスライド可能な第２軸部材を有することで、ノズル本体を被処理物に接近させたり、遠ざけたりし易くなる。従って、ノズル本体と被処理物との距離を調整することによって、被処理物に与える気流の強弱を変更することができるという効果を有する。また、第１軸部材の中心に回転可能な第２軸部材とすることで、第１軸部材の中心軸に対してノズル本体を回転させて気流噴出口の向きを変更することができる。従って、ノズル本体の気流噴出口の向きの調整範囲が広がり、被処理物に対して、より好ましい方向の気流を与えることができるという効果を有する。
【００１４】
さらに、本考案の平吹きノズルとして、前記第２軸部材に対してスライド可能及び／又は第２軸部材の中心軸に対して回転可能に固定する第３軸部材を備えてもよい。係る構成を採用することにより、第２軸部材の軸長の許す範囲で、第２軸部材を第３軸部材に対して相対位置を変更することができ、かつ第３軸部材の中心軸に対して第２軸部材を回転させることができる。従って、ノズル本体を任意の位置に配置することができ、かつ気流噴出口を任意の方向に向けることができるという効果を有する。
【考案の効果】
【００１５】
本考案の平吹きノズルによれば、広く開口したノズル本体の気流噴出口を覆い、ノズル本体に気流噴出口の幅を調整及び取り外し可能な噴出口幅調整板を備えているので、噴出口幅調整板を調整することで、風量、方向を容易に変更ができ、また、容易にノズル本体の内部洗浄ができる。従って、被処理対象の変更に対して、場合によっては軸を回転することなく気流噴出口の調節のみでも好適な風量、風圧及び方向の調整ができる。また、第１軸部材、第２軸部材及び第３軸部材同士がスライド可能かつ回転可能に設けられているので、ノズル本体を任意の位置、方向に設置することが可能となり、缶、容器、野菜等の被処理物の外表面に好適な加圧空気等の気流を吹き付けて、付着した水、埃、ゴミ等を効率よく吹き飛ばすことができ、かつ洗浄が容易で衛生的な平吹きノズルを提供することができる。
【図面の簡単な説明】
【００１６】
【図１】図１は、本考案の実施の形態に係る平吹きノズル１００の平面図である。
【図２】図２は、本考案の実施の形態に係る平吹きノズル１００の底面図である。
【図３】図３は、本考案の実施の形態に係る平吹きノズル１００の図１のＡ−Ａ断面図である。
【図４】図４は、本考案の実施の形態に係る平吹きノズル１００の分解底面参考図である。
【図５】図５は、本考案の実施の形態に係る平吹きノズル１００の可動状態を示す説明図である。
【図６】図６は、本考案の実施の形態に係る平吹きノズル１００のダブルクランプの斜視図である。
【図７】図７は、本考案の実施の形態である平吹きノズルの使用時の状態を表す一部断面側面図である。
【図８】図８は、本考案の実施の形態である平吹きノズルのノズル本体に第１支持具２０を取り付ける形態の変形例を示す断面図である。
【図９】図９は、本考案の実施の形態に係る平吹きノズル１００のノズル本体１０の変形例を示す断面図である。
【図１０】図１０は、本考案の実施の形態に係る平吹きノズル１００の第１支持具２０の変形例を示す断面図である。
【図１１】従来の加圧空気を噴出するノズルの断面概略図である。
【考案を実施するための形態】
【００１７】
以下、本考案を実施するための形態について、図面に基づいて詳細に説明するにあたり、本実施の形態の構成要素と本考案の構成要素との対応関係を明らかにする。実施の形態におけるスリット６０が気流噴出口に相当し、前スライド板６１及び／又は後スライド板６２が噴出口幅調整板に相当し、第１支持部材２０が第１軸部材に相当し、第２支持部材３０が第２軸部材に相当し、第３支持部材４０が第３支持部材に相当する。
【００１８】
なお、以下に説明する実施の形態及び図面は、本考案の実施形態の一部を例示するものであり、これらの構成に限定する目的に使用されるものではない。なお、各図において対応する構成要素には同一又は類似の符号が付されている。
【００１９】
図１、図２及び図３は、それぞれ本考案の実施の形態に係る平吹きノズルの平面図、底面図及び
図１のＡ−Ａ断面図である。本考案の実施の形態に係る平吹きノズル１００は、付着物が付着された被処理物（例えば、缶、野菜等）が移動する際に、気流により付着物を吹き飛ばすため、送風機の先端部等に取り付けられるノズルである。平吹きノズル１００は、図１、図２及び図３に示すように、主としてノズル本体１０と、ノズル本体１０を所定の位置で固定する第１支持具２０、第２支持具３０及び第３支持具４０と、設備、床等に固定されている固定用棒５０と、を備えている。
【００２０】
ノズル本体１０は、図３に示すように、上面板１１と、この上面板１１に連設する前面板１２及び背面板１３と、上面板１１の反対に位置し、前面板１２及び背面板１３に連設され、スリット６０に向け狭まる先端を構成する下前斜板１４及び下後斜板１５と、からなる断面略５角形状である。下前斜板１４及び下後斜板１５は同形であってもよいし、一方が長く、他方が短くなるように形成してもよい。それぞれ長さが異なる下前斜板１４及び下後斜板１５とすることで、噴出する気流の方向性、風量等を調整することができる。本実施の形態においては、下前斜板１４が短く、下後斜板１５が長いノズル本体１０を採用している。さらに、図１に示すように、左右に位置する左側面板１６及び右側面板１７を備えている。左側面板１６には、接続管１８が接続されている。接続管１８は、一方がノズル本体１０に連設され、他方が送風機等の加圧空気の圧力源に接続されていて気流送風管と接続されていて（図示しない。）、加圧気流が接続管１８からノズル本体１０内部に導入され、下前斜板１４及び下後斜板１５の下端のスリット６０から噴出する。なお、ノズル本体１０は、それぞれ上面板１１、前面板１２等を個別に作製し溶接してもよいし、又は一枚の板から折曲げ成形してもよい。
【００２１】
スリット６０には、図３に示すように、その一部を覆う前スライド板６１、後スライド板６２がそれぞれ下前斜板１４、下後斜板１５にスライド自在に取り付けられる。前スライド板６１と後スライド板６２は、幅は異なるがその他の構造、機構は同様である。取り付け方法として、下前斜板１４及び下後斜板１５には、図４に示すように、それぞれネジ孔１４ａ、ネジ孔１５ａが複数穿設されており、一方、前スライド板６１及び後スライド板６２には、複数の長孔６１ａ、長孔６２ａがそれぞれ前記ネジ孔１４ａ、１５ａに対応する位置に穿設されている。前スライド板６１及び後スライド板６２は、ネジ７０を長孔６１ａ、長孔６２ａに通し、ネジ孔１４ａ、１５ａに固定することにより、下前斜板１４及び下後斜板１５に取り付けられる（図４、一点鎖線矢印参照）。従って、前スライド板６１及び後スライド板６２は、ネジ７０を緩めればスライドでき、ネジ７０を締めることで固定することができる。このため、スリット６０の幅を容易に変更することができ、噴出気流の風量及び風向の調整を容易に行うことができる。また、前スライド板６１及び後スライド板６２をスリット６０が全開放するようにすれば、容易にスリット６０からノズル本体１０内部を手、ブラシ等で洗浄することができる。さらに分解取り外すことで、前スライド板６１又は後スライド板６２とノズル本体１０との接触部も容易に洗浄することができるという効果を有する。
【００２２】
なお、長孔６１ａ及び長孔６２ａは、ネジ７０の軸を通せる幅を有し、ノズル本体１０のスリット６０が前スライド板６１及び後スライド板６２によって完全に覆われ、かつ全開放できる程度の長さにすることが好ましい。また、ネジ７０と前スライド板６１及び後スライド板６２との間に、長孔６１ａ、長孔６２ａの幅より直径の大きいワッシャー７１を挟めば、長孔６１ａ、長孔６２ａの幅、ネジ７０の頭の直径の選択の自由度が増す上、ネジ７０の頭が長孔６１ａ、長孔６２ａに引っかかることなく、スムーズに前スライド板６１及び後スライド板６２をスライドさせることができる。
【００２３】
なお、本実施の形態では、ノズル本体１０、前スライド板６１及び後スライド板６２は、厚さ２ｍｍのステンレス（ＳＵＳ３０４）を使用しているが、これらの素材、その厚さは、ノズルの大きさ、使用場所、腐食性等を勘案し、適宜、アルミ、合金等の金属、樹脂、メッキ等から選択することができる。
【００２４】
こうして構成された本体ノズル１０は、床等に固定された固定用棒５０に、第１支持具２０、第２支持具３０及び第３支持具４０を介して固定される。第１支持具２０は、底面板２１と、底面板２１から略垂直に起立した起立板２２からなるＬ字金具である。底面板２１はネジ７２を挿通する孔２３が穿設され、起立板２２はネジ７３を挿通する孔２４が穿設されている。こうして作製された第１支持具２０は、ノズル本体１０の上面板１１の中央に固定された基台８０に固定される。基台８０にはネジ孔８１が穿設されており、ネジ７２により固定される。基台８０のノズル本体１０への固定は、板状の別部材を溶接、ネジ留め等により固定すればよい。よって、ノズル本体１０は、図５に示すように、ネジ７２を緩めることにより一点鎖線Ａの矢印の方向に回転することができる。
【００２５】
第２支持具３０は、図３に示すように、支持棒からなり、第１支持具２０の起立板２２穿設された孔２４を介して、ネジ７３によって固定される。従って、図５に示すように、ネジ７３を緩めることにより、第２支持具３０は第１支持具２０に対して一点鎖線Ｂの矢印の方向に回転することができ、本体ノズル１０は一点鎖線矢印Ｃの方向へ回転することができる。
【００２６】
第３支持具４０は、第２支持具３０とダブルクランプ９０を介して連結されている。ダブルクランプ９０は、図６に示すように。第１の輪９１及び第２の輪９２を有し、それぞれの輪９１，９２は、９０°ねじれた状態に配置されている。第１の輪に第２支持具３０を通し、ネジ７４で固定し（図５参照）、第２の輪に第３支持具４０を通してネジ７５で固定される（図３参照）。従って、第１の輪のネジ７４を緩めることによって第２支持具３０を中心軸に対して回転することができ、図５に示す一点鎖線矢印Ｃの方向へ回転することができる。また、第２支持具３０の軸長の許す範囲で軸方向（矢印Ｇ）にスライドすることができる。さらに、第２の輪のネジ７５を緩めることによって、第２支持具３０を第３支持具４０の中心軸に対して回転することができる。従って、一点鎖線矢印Ｄの方向へ回転することができる。また、第３支持具４０の軸長の許す範囲で軸方（矢印Ｈ）向に第２支持具３０をスライド移動することができる。
【００２７】
さらに、第３支持具４０は、床に固定されている固定用棒５０に、前述のダブルクランプ９０と同様のダブルクランプ９３を介して連結されていて、ダブルクランプ９３のネジを緩めることで、一点鎖線矢印Ｅに示すように、第２支持具４０を軸中心に回転したり、一点鎖線矢印Ｆに示すように、第３支持具４０自体を固定用棒５０の軸を中心にして回転したりすることができる。また、第３支持具４０の軸長の許す範囲で軸方向（矢印Ｈ）に、スライド移動することができる。また、固定用棒５０の軸長の許す範囲で軸方向（図５の紙面に対し垂直方向）にスライド移動することができる。
【００２８】
こうして固定されたノズル本体１０は、第１支持具２０，第２支持具３０、第３支持具４０の上述した回転、スライド等の可動によって、気流が吹き出すスリット６０を任意に位置に配置することができ、３軸（Ｘ−Ｙ−Ｚ軸）方向の任意の方向に向けることができる。
【００２９】
図７は、本考案である平吹きノズル１００の使用時を示す一部断面説明図であり、缶９６の底部に溜まった水、側面に付着した水の水切りを行っているときの様子を示している。缶９６は、梱包前に結露防止のため、温水で温められ後、底部を上に、ベルトコンベア９７のベルトに載せられ、ノズル本体１０の下方を流れてくる。ノズル本体１０は、前述したように床９５に固定（埋設、設置等含む）され、先端が直角方向に曲がった固定用棒５０に、第１支持具２０、第２支持具３０、第３支持具４０を介して固定されている。第３支持具４０は、クランプ９３を固定用棒５０に対して回転（矢印Ｉ）させることで、矢印Ｊの方向へ回動でき、ノズル本体１０のスリット６０をベルトコンベア９７の進退行方向へ移動させることができる。また、第３支持具４０をクランプ９３の輪内で回転（矢印Ｋ）させることで、ノズル本体１０のスリット６０のベルトコンベアの進行方向に対する角度を調整することができる。第３支持具４０をクランプ９３内でスライド（矢印Ｌ）させることで、ノズル本体１０のスリット６０の高さを調整することができる。このようにして、ノズル本体１０は位置、方向等を自在に配置できるので、缶９６の水を効果的に除去することができる。なお、これらの調整は、クランプ９０やネジ７２、７３を利用しても同様の調整を行うことができる。
【００３０】
本実施の形態では、被処理物である缶９６を移送するベルトコンベア９７の上方にやや缶９６の移動と反対方向にスリット６０が向くように配置されている。また、スリット６０は、前スライド板６１、後スライド板６２をスライドさせ、幅を調整し、ここでは缶９６が流れてくる方向の前スライド板６１がより開口し、気流が移動と反対方向に流れるようにしてある。こうして、缶９６の底部に溜まった水等の水切りを効果的に行うことができる。
【００３１】
本実施の形態の平吹きノズル１００によれば、同一のベルトコンベア９７にある程度異なる被処理物（大きさ、形状）を載せ、移動させた場合であっても、好適な気流の風向、風量を被処理物に送風することができ、効果的な付着物に除去を行うことができるという効果を有する。
【００３２】
本発明は、上述した実施の形態に何ら限定されるものではなく、本発明の技術的範囲に属する限り、種々の態様で実施し得ることはいうまでもない。
【００３３】
上述した実施の形態では基台８０のノズル本体１０への固定は、板状の別部材を溶接、ネジ留め等により固定しているが、図８ａに示すように、ノズル本体１０の一部を厚く成形した肉厚部１０ａを形成し、ネジ孔８１に相当するネジ孔８１ａを形成してもよいし、図８ｂに示すように、ノズル本体１０の厚さが十分あれば、別部材、一部厚く成型することなく、ノズル本体１０に直接ネジ孔を形成し、第１支持具２０を回動可能にネジ７２で固定してもよい。
【００３４】
上述した実施の形態では、前面板１２及び背面板１３に連設され、スリット６０に向け狭まる先端を構成する下前斜板１４及び下後斜板１５と、からなる断面略５角形状とし、その一部を覆うように前スライド板６１、後スライド板６２をそれぞれ下前斜板１４、下後斜板１５にスライド自在に取り付けたものとしているが、下前斜板１４又は下後斜板１５を分解可能に形成してもよい。例えば、図９に示すように、下前斜板１４を短く形成し、分解取り付け式の分解式下傾斜板１４ｂを別途取り付けてもよい。係る構成を採用することによって、分解式下前斜板１４ｂを取り外すことによって、スリットの開口が大きくなるため、内部の洗浄を容易に行うことができるようになる。
【００３５】
さらに、上述した実施の形態では、第２支持具３０は、第１支持具２０の起立板２２穿設された孔２４を介して、ネジ７３によって第１支持具２０に対して回転可能にのみ固定されているが、第１支持具に対して、スライド可能に取り付けてもよい。例えば、図１０に示すように、孔２４を長孔に形成することによって、長孔の許す範囲でスライドすることができる。係る構成を採用することによって、ノズル本体の位置、方向を調整する場合の可動範囲が増えるため、適宜可動場所を自由に選択しつつ、ノズル本体の位置、方向を調整することができる。
【産業上の利用可能性】
【００３６】
本発明の平吹き用ノズルは、空気の圧力源に接続して気流を噴出し、被対象物の表面に付着した付着物を除去する装置として、缶・容器・野菜等を段ボールに梱包する前の水滴・ゴミの除去手段として産業上広く利用可能である。
【符号の説明】
【００３７】
１０…ノズル本体、１０ａ…肉厚部、１１…上面板、１２…前面板、１３…背面板、１４…下前斜板、１４ａ…ネジ孔、１４ｂ…分解式下傾斜板、１５…下後斜板、１５ａ…ネジ孔、１６…左側面板、１７…右側面板、１８…接続管、２０…第１支持具、２１…底面板、２２…起立板、２３…孔、２４…孔、３０…第２支持具、４０…第３支持具、５０…固定用棒、６０…スリット、６１…前スライド板、６１ａ…長孔、６２…後スライド板、６２ａ…長孔、７０…ネジ、７１…ワッシャー、７２…ネジ、７３…ネジ、８０…基台、８１…ネジ孔、９０…ダブルクランプ、９１，９２…ネジ、９３…ダブルクランプ、９５…ベルトコンベア、９５…床、９６…缶、９７…ベルトコンベア、１００…平吹きノズル、
【図１】
0003158301.tif 000003
【図２】
0003158301.tif 000004
【図３】
0003158301.tif 000005
【図４】
0003158301.tif 000006
【図５】
0003158301.tif 000007
【図６】
0003158301.tif 000008
【図７】
0003158301.tif 000009
【図８】
0003158301.tif 000010
【図９】
0003158301.tif 000011
【図１０】
0003158301.tif 000012
【図１１】
0003158301.tif 000013